(57)【特許請求の範囲】
【請求項１】
コンロ本体に固定のバーナホルダ上に支持されるバーナボディを備えるコンロ用バーナであって、バーナボディは、その下面中央部に垂設した筒状のスロート部を備え、バーナホルダは、コンロ本体に固定される台座部と、台座部の上方に設けられた支持筒部とを備え、支持筒部にスロート部を上方から挿入して、支持筒部の上端にバーナボディの下面を着座させるようにし、台座部に、スロート部の下端開口に向けて燃料ガスを噴出するガスノズルを設け、スロート部の下端開口から吸い込まれる一次空気と燃料ガスとの混合気がバーナボディ内に供給されるようにしたものにおいて、
スロート部の外周面に、円筒状の上部嵌合雄部と、上部嵌合雄部から下方に離れた部分に位置し、上部嵌合雄部よりも小径の円筒状の下部嵌合雄部と、上部と下部の嵌合雄部間に位置し、下方に向けて縮径するテーパー状又は上部嵌合雄部よりも小径の円筒状の縮径部とが形成され、
支持筒部の内周面に、円筒状であって上部嵌合雄部が挿入クリアランス分の隙間を存して嵌合する上部嵌合雌部と、上部嵌合雌部から下方に離れた部分に位置し、上部嵌合雌部よりも小径の円筒状であって下部嵌合雄部が挿入クリアランス分の隙間を存して嵌合する下部嵌合雌部と、上部と下部の嵌合雌部間に位置し、下方に向けて縮径するテーパー状のガイド部とが形成され、
上部嵌合雌部の上下方向長さは、支持筒部の上端にバーナボディの下面が着座した状態で、上部嵌合雄部の下端よりも上部嵌合雌部の下端が下方に位置するように設定されることを特徴とするコンロ用バーナ。
【請求項２】
前記下部嵌合雌部と前記下部嵌合雄部との少なくとも一方に、上下方向にのびる溝部が形成されることを特徴とする請求項１記載のコンロ用バーナ。
【発明の詳細な説明】
【技術分野】
【０００１】
本発明は、コンロ本体に固定のバーナホルダ上に支持されるバーナボディを備えるコンロ用バーナに関する。
【背景技術】
【０００２】
従来、この種のコンロ用バーナとして、バーナボディの下面中央部に筒状のスロート部を垂設し、コンロ本体に固定される台座部と、台座部の上方に設けられた支持筒部とを備えるバーナホルダの支持筒部に上方からスロート部を挿入して、バーナボディの下面を支持筒部の上端に着座させるようにし、更に、台座部に、スロート部の下端開口に向けて燃料ガスを噴出するガスノズルを設け、スロート部の下端開口から吸い込まれる一次空気と燃焼ガスとの混合気がバーナボディ内に供給されるようにしたものが知られている（例えば、特許文献１参照）。
【０００３】
ここで、バーナボディがバーナホルダ上にぐらつくことなく安定に支持されるようにするには、スロート部の外周面を支持筒部の内周面に挿入クリアランス（スロート部の挿入が可能となる必要最小限のクリアランス）分の隙間を存して嵌合させると共に、支持筒部に対するスロート部の嵌合箇所の上端から下端までの長さをできるだけ長く確保することが必要になる。ところで、多量の煮こぼれを生ずると、煮こぼれ汁が支持筒部に達して、スロート部の外周面と支持筒部の内周面との間の隙間に侵入する煮こぼれ汁によりスロート部が支持筒部に固着することがある。そして、支持筒部に対するスロート部の嵌合箇所の長さを長くすると、煮こぼれ汁による固着力が強くなって、バーナボディが取り外し不能となってしまうことがある。
【０００４】
また、従来、混合管の上方に屈曲する下流端部にバーナボディに垂設した筒部を外嵌させるようにしたコンロ用バーナにおいて、混合管の下流端部の外周面と筒部の内周面とを下方に向かって拡径するテーパー面に形成すると共に、筒部の内周面の上部と下部の中間に径方向外方に凹入する凹面部を形成したものが知られている（例えば、特許文献２参照）。これによれば、バーナボディの装着作業が容易になると共に、混合管の下流端部に対する筒部の嵌合箇所の長さが凹面部の分だけ短縮され、煮こぼれ汁による固着力が弱くなる。
【０００５】
この技術を特許文献１記載のバーナに適用し、スロート部の外周面と支持筒部の内周面とを下方に向かって縮径するテーパー面に形成すると共に、支持筒部の内周面の上部と下部の中間に径方向外方に凹入する凹面部を形成して、煮こぼれ汁による固着力を弱くすることが考えられる。
【０００６】
然し、これでは以下の不具合を生ずる。即ち、特許文献１記載のバーナでは、バーナボディの下面が支持筒部の上端に着座することでバーナボディの高さが決定されるため、バーナボディの下面や支持筒部の上端の加工公差でバーナボディの高さが変化する。そして、テーパー面に形成されたスロート部の外周面と支持筒部の内周面との間の隙間量がバーナボディの高さ変化で変化してしまい、バーナボディの安定性が損なわれてしまうことがある。また、凹面部は径方向に出没自在な特殊な工具で加工する必要があり、加工が面倒になる不具合もある。
【先行技術文献】
【特許文献】
【０００７】
【特許文献１】特開２０１１−５２９４７号公報
【特許文献２】特開昭６０−２０２２２０号公報
【発明の概要】
【発明が解決しようとする課題】
【０００８】
本発明は、以上の点に鑑み、バーナボディの安定性を損なうことなく、支持筒部に対する煮こぼれ汁によるスロート部の固着力を弱くでき、且つ、加工も容易なコンロ用バーナを提供することをその課題としている。
【課題を解決するための手段】
【０００９】
本発明は、コンロ本体に固定のバーナホルダ上に支持されるバーナボディを備えるコンロ用バーナであって、バーナボディは、その下面中央部に垂設した筒状のスロート部を備え、バーナホルダは、コンロ本体に固定される台座部と、台座部の上方に設けられた支持筒部とを備え、支持筒部にスロート部を上方から挿入して、支持筒部の上端にバーナボディの下面を着座させるようにし、台座部に、スロート部の下端開口に向けて燃料ガスを噴出するガスノズルを設け、スロート部の下端開口から吸い込まれる一次空気と燃料ガスとの混合気がバーナボディ内に供給されるようにしたものにおいて、上記課題を解決するために、以下の如く構成したことを特徴とする。
【００１０】
即ち、本発明は、スロート部の外周面に、円筒状の上部嵌合雄部と、上部嵌合雄部から下方に離れた部分に位置し、上部嵌合雄部よりも小径の円筒状の下部嵌合雄部と、上部と下部の嵌合雄部間に位置し、下方に向けて縮径するテーパー状又は上部嵌合雄部よりも小径の円筒状の縮径部とが形成され、支持筒部の内周面に、円筒状であって上部嵌合雄部が挿入クリアランス分の隙間を存して嵌合する上部嵌合雌部と、上部嵌合雌部から下方に離れた部分に位置し、上部嵌合雌部よりも小径の円筒状であって下部嵌合雄部が挿入クリアランス分の隙間を存して嵌合する下部嵌合雌部と、上部と下部の嵌合雌部間に位置し、下方に向けて縮径するテーパー状のガイド部とが形成され、上部嵌合雌部の上下方向長さは、支持筒部の上端にバーナボディの下面が着座した状態で、上部嵌合雄部の下端よりも上部嵌合雌部の下端が下方に位置するように設定されることを特徴とする。
【００１１】
本発明によれば、上部と下部の嵌合雄部と嵌合雌部が全て円筒状に形成されるため、バーナボディの高さがバーナボディの下面や支持筒部の上端の加工公差で変化しても、各嵌合雄部と各嵌合雌部との間の隙間量は変化することなく、スロート部の挿入に必要最小限の挿入クリアランスに維持される。従って、バーナボディはバーナホルダ上にぐらつくことなく安定に支持される。
【００１２】
また、上部嵌合雄部の下端よりも下方に位置する上部嵌合雌部の部分と縮径部との間に広い隙間が確保されるため、支持筒部に対する煮こぼれ汁によるスロート部の固着は縮径部では生じない。従って、煮こぼれ汁による固着力が弱められ、バーナボディが取り外し不能になることを防止できる。そして、支持筒部の内周面の上下方向中間部に、固着力弱化のために径方向外方に凹入する凹面部を形成する必要がなく、加工が容易になる。
【００１３】
また、スロート部を支持筒部に挿入する際、テーパー状のガイド部によりスロート部が支持筒部と同心になるように案内され、下部嵌合雄部及び上部嵌合雄部がスムーズに下部嵌合雌部及び上部嵌合雌部に嵌合する。従って、バーナボディの装着作業が容易になる。
【００１４】
また、本発明においては、下部嵌合雌部と下部嵌合雄部との少なくとも一方に、上下方向にのびる溝部が形成されることが望ましい。これによれば、煮こぼれ汁を溝部を介して支持筒部の下方に排出することができ、支持筒部に対する煮こぼれ汁によるスロート部の固着防止機能が向上する。
【図面の簡単な説明】
【００１５】
【図１】本発明の第１実施形態のコンロ用バーナの斜視図。
【図２】図１のＩＩ−ＩＩ線で切断した切断側面図。
【図３】第１実施形態のコンロ用バーナの分解状態の斜視図。
【図４】第２実施形態のコンロ用バーナのバーナホルダの平面図。
【図５】図４のＶ−Ｖ線で切断した第２実施形態のコンロ用バーナの組立状態の切断正面図。
【発明を実施するための形態】
【００１６】
図１、図２を参照して、１は、図示省略したコンロ本体に固定のバーナホルダを示しており、このバーナホルダ１により本発明の実施形態のコンロ用バーナＡが支持される。バーナホルダ１は、コンロ本体に固定される台座部１１と、台座部１１の上方に設けられた支持筒部１２とを備えている。より具体的に説明すれば、台座１１の一端に支柱部１３を立設し、支柱部１３の上端から台座部１１に対向するようにして張り出すフランジ部１４を設けて、このフランジ部１４に支持筒部１２を形成している。また、支柱部１３の中間からフランジ部１４とは反対方向に張り出す電極取付部１５を設けている。
【００１７】
台座部１１の上面には、支持筒部１２の中心軸線上に位置するガスノズル２が取付けられている。そして、台座部１１に形成したガス通路１６を介してガスノズル２に燃料ガスが供給されるようにしている。また、電極取付部１５には、これにボルト１７ａ止めされる取付金具１７によって点火電極３が固定されている。
【００１８】
コンロ用バーナＡは、バーナホルダ１上に支持されるバーナボディ４と、バーナボディ４上に載置されるバーナキャップ５とを備えている。バーナボディ４は、円板状のベース部４１と、ベース部４１の下面中央部に垂設した筒状のスロート部４２と、ベース部４１の上面にスロート部４２の上端開口を囲うように突設した環状の隆起部４３と、ベース部４１の上面外周部に突設した環状壁４４とを有している。そして、スロート部４２をバーナホルダ１の支持筒部１２に上方から挿入し、支持筒部１２の上端にバーナボディ４の下面、即ち、ベース部４１の下面を着座させるようにしている。
【００１９】
また、支持筒部１２の上端部の周方向１箇所に切欠き１２ａを形成すると共に、スロート部４２の上端部の周囲１箇所に突起４２ａを形成している。そして、この突起４２ａを切欠き１２ａに係合させることで、バーナボディ４が位相決めされるようにしている。
【００２０】
環状壁４４には、図３に示す如く、その上端から下方に窪む溝から成る大小複数の炎口４５が形成されている。また、点火電極３と同一方位に位置する環状壁４４の周方向１箇所には、径方向内方に凹入する凹入部４４ａが形成されている。凹入部４４ａの径方向内方の壁部には、その周方向中央部分の上端に位置させて、点火電極３の上方に対向するターゲット４６が突設されると共に、ターゲット４６の両脇に位置させて、点火電極３を指向する一対の点火炎口４７が形成されている。
【００２１】
バーナキャップ５は円板状に形成されており、その下面中央部には、隆起部４３の上端面に所定の隙間を存して対向する裏板５１が取付けられている。裏板５１の外周には、周方向の間隔を存して複数の芯決め片５２が垂設されている。そして、これら芯決め片５２の下端部を隆起部４３の外周面に当接させることでバーナキャップ５がバーナボディ４に対し芯決めされ、バーナキャップ５の下面外周部がバーナボディ４の環状壁４４の上端面に当接するようにしている。尚、バーナキャップ５への裏板５１の固定は、裏板５１に形成した上方への凸出し部５３をバーナキャップ５の下面に形成した凹孔に嵌合させた状態で、凸出し部５３をバーナキャップ５に溶接することで行われる。
【００２２】
上述したガスノズル２は、支持筒部１２に挿入するスロート部４２の直下に位置する。そして、ガスノズル２からスロート部４２の下端開口に向けて燃料ガスを噴出させると、スロート部４２の上端開口から流出するガス流が裏板５１の下面に当たって径方向に広がり、所謂ラジアルベンチュリー効果を生じて、スロート部４２の下端開口から一次空気が吸い込まれる。これにより、燃料ガスと一次空気との混合気がスロート部４２を介してバーナボディ４内に供給される。バーナボディ４内に供給された混合気は、環状壁４４に形成した炎口４５から噴出して燃焼し、図示省略したコンロ天板上の五徳に載置する被加熱物が加熱される。
【００２３】
ここで、スロート部４２の外周面には、円筒状の上部嵌合雄部４２１と、上部嵌合雄部４２１から下方に離れた部分に位置し、上部嵌合雄部４２１よりも小径の円筒状の下部嵌合雄部４２２と、上部と下部の嵌合雄部４２１，４２２間に位置し、下方に向けて縮径するテーパー状の縮径部４２３とが形成されている。
【００２４】
また、支持筒部１２の内周面には、円筒状であって上部嵌合雄部４２１が挿入クリアランス分の隙間を存して嵌合する上部嵌合雌部１２１と、上部嵌合雌部１２１から下方に離れた部分に位置し、上部嵌合雌部１２１よりも小径の円筒状であって下部嵌合雄部４２２が挿入クリアランス分の隙間を存して嵌合する下部嵌合雌部１２２と、上部と下部の嵌合雌部１２１，１２２間に位置し、下方に向けて縮径するテーパー状のガイド部１２３とが形成されている。上部嵌合雌部１２１の上下方向長さは、支持筒部１２の上端にバーナボディ４の下面が着座した状態で、上部嵌合雄部４２１の下端よりも上部嵌合雌部１２１の下端が下方に位置するように設定されている。尚、挿入クリアランスは、スロート部４２を支持筒部１２に挿入するのに必要な最小限のクリアランスを意味し、具体的には０．０５ｍｍ程度である。
【００２５】
また、支持筒部１２にスロート部４２を挿入しやすくするため、上部嵌合雌部１２１の上端から上方にのびる支持筒部１２の内周面の部分に、上方に向けて拡径するテーパー状の上部ガイド部１２４を形成すると共に、下部嵌合雄部４２２の下端から下方にのびるスロート部４２の外周面の部分に、下方に向けて縮径するテーパー状の下部ガイド部４２４を形成している。
【００２６】
本実施形態によれば、上部と下部の嵌合雄部４２１，４２２と嵌合雌部１２１，１２２が全て円筒状に形成されるため、バーナボディ４の高さがバーナボディ４の下面や支持筒部１２の上端の加工公差で変化しても、各嵌合雄部４２１，４２２と各嵌合雌部１２１，１２２との間の隙間量は、スロート部４２の挿入に必要最小限の挿入クリアランスに維持される。従って、バーナボディ４は支持筒部１２上にぐらつくことなく安定に支持される。
【００２７】
ところで、支持筒部１２の内周面の上部ガイド部１２４を除く上下方向全長に亘りスロート部４２の外周面を挿入クリアランス分の隙間を存して嵌合させて、支持筒部１２に対するスロート部４２の嵌合箇所の長さを長く確保することも考えられるが、これでは以下の不具合を生ずる。即ち、多量の煮こぼれを生ずると、煮こぼれ汁がバーナボディ４の下面を伝い、支持筒部１２の上端とバーナボディ４の下面との間に生ずる微細な隙間から毛細管現象等により煮こぼれ汁が支持筒部１２内に侵入して、煮こぼれ汁によりスロート部４２が支持筒部１２に固着することがある。この場合、支持筒部１２に対するスロート部４２の嵌合箇所の長さを上記の如く長くすると、煮こぼれ汁による固着力が強くなって、バーナボディ４が取り外し不能となってしまうことがある。
【００２８】
また、支持筒部１２の内周面の上下方向中間部に、固着力弱化のために径方向外方に凹入する凹面部を形成することも考えられる。然し、凹面部は径方向に出没自在な特殊な工具で加工する必要があり、加工が面倒になってコストアップを招く。
【００２９】
これに対し、本実施形態では、下部の嵌合雄部４２２及び嵌合雌部１２２を上部の嵌合雄部４２１及び嵌合雌部１２１よりも小径として、上部嵌合雄部４２１と下部嵌合雄部４２２との間に縮径部４２３を形成すると共に、上部嵌合雌部１２１の下端を上部嵌合雄部４２１の下端よりも下方に位置させることにより、上部嵌合雌部１２１及びガイド部１２３と縮径部４２３との間に広い隙間が確保される。そのため、支持筒部１２に対する煮こぼれ汁によるスロート部４２の固着は縮径部４２３では生じない。従って、煮こぼれ汁による固着力が弱められ、バーナボディ４が取り外し不能になることを防止できる。更に、支持筒部１２の内周面の上下方向中間部に凹面部を形成する必要がなく、加工が容易になってコストアップを回避できる。
【００３０】
また、スロート部４２を支持筒部１２に挿入する際、テーパー状のガイド部１２３によりスロート部４２が支持筒部１２と同心になるように案内され、下部嵌合雄部４２２及び上部嵌合雄部４２１がスムーズに下部嵌合雌部１２２及び上部嵌合雌部１２１に嵌合する。従って、バーナボディ４の装着作業が容易になる。
【００３１】
次に、図４、図５に示す第２実施形態のコンロ用バーナについて説明する。第２実施形態のコンロ用バーナの基本的な構成は、上記第１実施形態のものと同様であり、第１実施形態と同様の部材、部位に上記と同一の符号を付している。第２実施形態の第１実施形態との相違点は、下部嵌合雌部１２２の周方向複数個所（例えば、３箇所）に、上下方向にのびる溝部１２５を形成したことである。
【００３２】
これによれば、支持筒部１２に侵入した煮こぼれ汁を溝部１２５を介して支持筒部１２の下方に排出することができる。従って、煮こぼれ汁が支持筒部１２内に滞留してこびりつくことを抑制でき、煮こぼれ汁によるスロート部４２の固着防止機能が向上する。
【００３３】
尚、第２実施形態において、溝部１２５の径方向外方の溝面の径は、上部嵌合雌部１２１と同径であって、上部嵌合雌部１２１の下端からガイド部１２３及び下部嵌合雌部１２２の上下方向全長に亘って溝部１２５が形成されているが、溝面の径を上部嵌合雌部１２１よりも小径とし、ガイド部１２３の下部から下方にのびるように溝部１２５を形成することも可能である。
【００３４】
以上、本発明の実施形態について図面を参照して説明したが、本発明はこれに限定されない。例えば、上記実施形態では、スロート部４２の外周面の上部と下部の嵌合雄部４２１，４２２間に下方に向けて縮径するテーパー状の縮径部４２３を形成しているが、嵌合雄部４２１，４２２間に上部嵌合雄部４２１よりも小径の円筒状の縮径部を形成してもよい。この場合、縮径部の径は、下部嵌合雄部４２２と同径或いはそれ以下であってもよい。
【００３５】
また、上記第２実施形態では、下部嵌合雌部１２２に上下方向にのびる煮こぼれ汁排出用の溝部１２５を形成しているが、下部嵌合雄部４２２に煮こぼれ汁排出用の溝部を形成し、或いは、下部嵌合雌部１２２と下部嵌合雄部４２２との両者に煮こぼれ汁排出用の溝部を形成することも可能である。
【符号の説明】
【００３６】
Ａ…コンロ用バーナ、１…バーナホルダ、１１…台座部、１２…支持筒部、１２１…上部嵌合雌部、１２２…下部嵌合雌部、１２３…ガイド部、１２５…溝部、２…ガスノズル、４…バーナボディ、４２…スロート部、４２１…上部嵌合雄部、４２２…下部嵌合雄部、４２３…縮径部。
【図１】
0005373842.tif 000002
【図２】
0005373842.tif 000003
【図３】
0005373842.tif 000004
【図４】
0005373842.tif 000005
【図５】
0005373842.tif 000006